(57)【要約】【課題】簡単な切換えによってワゴン本体の左右いずれの側からも物品の出し入れができるとともに、移動の際に物品の転倒や落下を防止しうるようにしたワゴンを提供する。【解決手段】  天板１と底板２と前面板３と後面板４とにより、左右の側面が開放した箱状のワゴン本体５を形成し、ワゴン本体５の四隅部に設けた４本の支柱９を座板２より下方に延出して、その下端にキャスタ１０を設け、かつ底板２の左右両側部に、物品の落下防止部材１４を着脱自在に装着しうる装着部１５を設け、落下防止部材１４を左右の装着部１５に選択的に装着しうるようにする。【選択図】図１
2005137744.tif 000002
【特許請求の範囲】
【請求項１】
天板と底板と前面板と後面板とにより、左右の側面が開放した箱状のワゴン本体を形成し、前記ワゴン本体の四隅部に設けた４本の支柱を底板より下方に延出して、その下端にキャスタを設け、かつ前記底板の左右両側部に、物品の落下防止部材を着脱自在に装着しうる装着部を設け、前記落下防止部材を左右の装着部に選択的に装着しうるようにしたことをしたことを特徴とするワゴン。
【請求項２】
天板の両側部を支持する支柱の下端に、前方を向く脚杆が設けられたテーブルにおける前記天板の下方に収容するようにしたワゴンにおいて、ワゴンの天板の上面を、テーブルの天板の下面より低くするとともに、底板の下面の高さを、前記テーブルの脚杆の上面より高くした請求項１記載のワゴン。
【請求項３】
落下防止部材を、水平の横杆の両端に下向きの脚杆を連設した側面視下向きコ字状とし、装着部を、底板の両側前後部に設けられ、前記各脚杆の下端部を受支する受け孔とした請求項１または２記載のワゴン。
【請求項４】
内面を受け孔とした有底筒部の上端部に拡径フランジを形成した受け部材における前記有底筒部を、前記拡径フランジが底板の上面に当接するようして、底板に穿設した貫通孔に上方より嵌合し、かつ前記有底筒部の外周に形成した雄ねじ部に、袋ナットの内面のねじ孔を螺合し、前記受け部材の拡径フランジと袋ナットの上端とにより底板を挟着することにより、各装着部を形成した請求項３記載のワゴン。
【請求項５】
各支柱の上端部に、内方を向く受け板を固着し、この受け板をもって天板を支持するとともに、前記各支柱の下部に、底板の対角線方向を向く片持ばりを設け、この片持ばりをもって底板を支持するようにした請求項１〜４のいずれかに記載のワゴン。
【請求項６】
ワゴン本体の上部に、前方に向かって引出し可能な引出しを設けた請求項１〜５のいずれかに記載のワゴン。
【発明の詳細な説明】
【技術分野】
【０００１】
本発明は、机の天板の下方に配置して、書類やファイル等の物品を収容するとともに、必要に応じて移動しうるようにしたワゴンに関する。
【背景技術】
【０００２】
オフィス等で使用されるワゴンは、事務用テーブルの下部の左右側部等に設置して、書類やファイル等の物品を必要に応じて取り出せるようになっている。
この種のワゴンには、箱状のワゴン本体の上面に天板が設けられ、ワゴン本体の４隅に支柱が設けられ、各支柱の下端にキャスタが取付けられ、ワゴン本体内には、左右方向または前後方向に引き出せる取手付きの引出しが装着されたものがある（例えば、特許文献１または特許文献２参照）。
【０００３】
しかし、これらのワゴンには、開放された棚板がなく棚に物が置けず、そのため、棚板を収容スペースとして利用し、書類やファイル等の物品を必要に応じて引き出すことができない。
従来のワゴンには、棚板を備えたものも知られているが、単に棚板をワゴンデスクに設けただけでは、収容した書類やファイル等の物品が倒れたり、落下する恐れがある。特に、ワゴンを移動した場合等においては、不安定になってこれらの物品が転倒したり、落下することがある。
【特許文献１】特開２００２−８５１６３号公報（図１）
【特許文献２】特開２００３−９９６６号公報（図２）
【発明の開示】
【発明が解決しようとする課題】
【０００４】
そこで、棚板における開放された側部に物品の転倒や落下を防止する柵等を設ければよいが、そのような柵を設けると、物品を取り出す際にその柵を越えて出し入れしなければならず、その出し入れが面倒である。
【０００５】
本発明は、従来の技術が有する上記のような問題点に鑑み、簡単な切換えによってワゴン本体の左右いずれの側からも物品の出し入れができるとともに、移動の際に物品の転倒や落下を防止しうるようにしたワゴンを提供することを目的としている。
【課題を解決するための手段】
【０００６】
本発明によると、上記課題は、次のようにして解決される。
（１）天板と底板と前面板と後面板とにより、左右の側面が開放した箱状のワゴン本体を形成し、前記ワゴン本体の四隅部に設けた４本の支柱を底板より下方に延出して、その下端にキャスタを設け、かつ前記底板の左右両側部に、物品の落下防止部材を着脱自在に装着しうる装着部を設け、前記落下防止部材を左右の装着部に選択的に装着しうるようにする。
【０００７】
(２) 上記(１)項において、天板の両側部を支持する支柱の下端に、前方を向く脚杆が設けられたテーブルにおける前記天板の下方に収容するようにしたワゴンにおいて、ワゴンの天板の上面を、テーブルの天板の下面より低くするとともに、底板の下面の高さを、前記テーブルの脚杆の上面より高くする。
【０００８】
（３）上記(１)または(２)項において、落下防止部材を、水平の横杆の両端に下向きの脚杆を連設した側面視下向きコ字状とし、装着部を、底板の両側前後部に設けられ、前記各脚杆の下端部を受支する受け孔とする。
【０００９】
（４）上記(３)項において、内面を受け孔とした有底筒部の上端部に拡径フランジを形成した受け部材における前記有底筒部を、前記拡径フランジが底板の上面に当接するようして、底板に穿設した貫通孔に上方より嵌合し、かつ前記有底筒部の外周に形成した雄ねじ部に、袋ナットの内面のねじ孔を螺合し、前記受け部材の拡径フランジと袋ナットの上端とにより底板を挟着することにより、各装着部を形成する。
【００１０】
（５）上記(１)〜(４)項のいずれかにおいて、各支柱の上端部に、内方を向く受け板を固着し、この受け板をもって天板を支持するとともに、前記各支柱の下部に、底板の対角線方向を向く片持ばりを設け、この片持ばりをもって底板を支持するようにする。
【００１１】
（６）上記(１)〜(５)項のいずれかにおいて、ワゴン本体の上部に、前方に向かって引出し可能な引出しを設ける。
【発明の効果】
【００１２】
本発明によると、次のような効果を奏することができる。
（ａ）請求項１記載の発明によると、棚板の左右の側部に落下防止部材が選択的に着脱自在に取付けられているので、落下防止部材の取付位置を交換することによって、載置された物品を、ワゴンの左右いずれの側面からでも出し入れすることが可能となる。
また、落下防止部材の取付位置を単に変えることによって、事務用テーブルの天板下方の左側または右側に置いて使用する左側用ワゴンまたは右側用ワゴンに簡単に切り換えることができるとともに、落下防止部材は、一種のストッパとして作用し、書物やファイル等の物品の転倒や落下の防止に寄与できる。つまり、落下防止部材が、ワゴンデスクの移動の際に、倒れ止めまたは落ち止め部材となって、物品の転倒や落下が防止される。
【００１３】
（ｂ）請求項２の発明によると、ワゴンの天板がテーブルの天板下面よりも下方に設けられ、ワゴンの底板がテーブルの脚杆の上面よりも上方に設けられているので、ワゴンの天板とテーブルの天板、および底板とテーブルの脚杆との干渉が避けられ、ワゴンをテーブルのサイドデスクとして使用でき、また配置位置の自由度が増して使用者の好みやその場の状況に応じた使い易いワゴンとなる。
【００１４】
（ｃ）請求項３の発明によると、落下防止部材が簡単なコ字状の棒材等により形成できるので、構造が簡単で安価になって、ワゴンのコスト低減が図れる。
【００１５】
（ｄ）請求項４の発明によると、板金等の底板にも、落下防止部材の脚杆の下端部を安定して受支できる受け部材を、強固に、かつ簡単に取付けることができるとともに、底板上面には拡径フランジと受け孔とが露呈するだけであり、また底板の下方に突出する受け部材は袋ナットにより覆われるので体裁がよい。
【００１６】
（ｅ）請求項５の発明によると、ワゴン本体を支柱に強固に結合することができるとともに、支柱の傾倒を確実に防止することができる。
【００１７】
（ｆ）請求項６の発明によると、引出しを前方に引出して小物品を出し入れすることができるので、ワゴンをテーブルの下に収容して使用するのに便利である。
【発明を実施するための最良の形態】
【００１８】
図１〜図５は、本発明の一実施形態であるワゴンを示す。
ワゴン(Ａ)は、図５に示すように、オフィス等で通常使用される一般的な事務用テーブル(Ｂ)の下方に配設して使用するものである。
ワゴン(Ａ)は、図１〜図３に示すように、ほぼ水平の天板(１)と、その下方に平行に配設された底板(２)と、それらの間の前後部を閉塞する前面板(３)および後面板(４)とにより形成された、左右の側面が開放した箱状のワゴン本体(５)を備えている。
【００１９】
ワゴン本体(５)の上部には、前面のみが開口し、他の側面が閉塞された引出し収容部(６)が形成され、ここに取手(７)を備える引出し(８)が、前方に向かって引出し可能として装着されている。
【００２０】
ワゴン本体(５)の四隅部には、４本の支柱(９)が、底板(２)より下方に延出するようにして取付られており、各支柱(９)の下端には、キャスタ(10)がそれぞれ設けられている。
【００２１】
図３を参照して、ワゴン本体(５)への各支柱(９)の取付け態様をより詳細に説明すると、各支柱(９)の上端部には、内方を向く受け板(11)(12)が固着され、この受け板(11)(12)を天板(１)の下面四隅に当接してねじ止め（図示略）することにより、天板(１)は支柱(９)に強固に結合されている。
【００２２】
また、各支柱(９)の下部（下端より若干上方の部位）には、底板(２)の対角線方向を向く片持ばり(13)が固着され、この片持ばり(13)を底板(２)の下面に当接してねじ止め（図示略）することにより、底板(２)は支柱(９)に強固に結合されている。
【００２３】
底板(２)の左右両側部には、物品の落下防止部材(14)を着脱自在に装着しうる装着部(15)が設けられており、落下防止部材(14)を左右の装着部(15)に選択的に装着しうるようになっている。
【００２４】
この例では、落下防止部材(14)は、棒鋼材を折曲することにより、水平の横杆(14a)の両端に下向きの脚杆(14b)(14b)が連設された、側面視下向きコ字状のものとしてある。
【００２５】
また、装着部(15)は、底板(２)の両側前後部に設けられ、各脚杆(4b)の下端部を受支するようにした受け孔(16)としてある。
【００２６】
図４に示すように、この例では、受け孔(16)は、上端に拡径フランジ(17)が形成された受け部材(18)における有底筒部(19)の内面に設けられており、この受け部材(18)における有底筒部(19)を、拡径フランジ(17)が底板(２)の上面に当接するようにして、底板(２)の隅部に穿設した貫通孔(20)に上方より嵌合し、かつ有底筒部(19)の外周に形成した雄ねじ部(21)に、袋ナット(22)の内面のねじ孔(23)を螺合し、上記受け部材(18)の拡径フランジ(17)と袋ナット(22)の上端とにより底板(２)を上下から挟着することにより、各装着部(15)が形成されている。
【００２７】
図５に示すように、ワゴン(Ａ)は、テーブル(Ｂ)の天板(24)の下方に収容して使用するとともに、必要に応じて、天板(24)の下方から引出して使用するものである。
【００２８】
その関係で、ワゴン(Ａ)の天板(１)の上面の高さは、テーブル(Ｂ)の天板(24)の下面の高さより低くしてある。
【００２９】
また、図５に示すテーブル(Ｂ)のように、天板(24)の両側部を支持する支柱(25)（その一方のみを図示してある）の下端に、前後方向を向く脚杆(26)(26)が設けられ、各脚杆(26)の先端部下面にキャスタ(27)が設けられている場合には、ワゴン(Ａ)の底板(２)の下面の高さを、脚杆(26)の上面より高くし、底板(２)が脚杆(26)の上方に跨がることができるようにする。これによって、テーブル(Ｂ)に対するワゴン(Ａ)のレイアウトの自由度が増す。
【００３０】
本発明は、上記の実施形態のみに限定されるものではなく、幾多の変化変形が可能である。
例えば、装着部(15)を、底板(２)に穿設した貫通孔とし、かつ落下防止部材(14)における脚杆(14b)の中位部に鍔部を設け、脚杆(14b)の下部を上記貫通孔に嵌合したとき、鍔部が底板(２)の上面に当接して、それ以上の下降を阻止するようにしてもよい。
【００３１】
また、落下防止部材(14)として、高寸のものと低寸のものとを２種類用意しておき、その低寸のものを、物品の出し入れ側となる底板(２)の側部に装着し、かつ高寸のものを、その反対の背面側となる底板(２)の側部に装着するようにしてもよい。
【００３２】
さらに、落下防止部材(14)は、上述の棒状のもののみに限られるものではなく、例えば垂直板の両側下端に下方を向く脚杆を突設したものや、上述と同様の下向きコ字状の棒状体に垂直板を止着したもの等とすることができる。
【産業上の利用可能性】
【００３３】
本発明は、主に事務用テーブルのサイドデスク等として使用するワゴンに用いるが、食器類等を運ぶ厨房等で使用するワゴンにも適用できる。
【図面の簡単な説明】
【００３４】
【図１】本発明の一実施形態における落下防止部材を右側に装着したときの斜視図である。
【図２】同じく、落下防止手段を左側に装着したときの斜視図である。
【図３】同じく、ワゴンデスクの要部分解斜視図である。
【図４】同じく、ワゴンデスクの装着部の拡大分解断面図である。
【図５】同じく、テーブルの下に収容したときの縦断側面図である。
【符号の説明】
【００３５】
(Ａ)ワゴン
(Ｂ)テーブル
(１)天板
(２)底板
(３)前面板
(４)後面板
(５)ワゴン本体
(６)引出し収容部
(７)取手
(８)引出し
(９)支柱
(10)キャスタ
(11)(12)受け板
(13)片持ばり
(14)落下防止部材
(14a)横杆
(14b)脚杆
(15)装着部
(16)受け孔
(17)拡径フランジ
(18)受け部材
(19)有底筒部
(20)貫通孔
(21)雄ねじ部
(22)袋ナット
(23)ねじ孔
(24)天板
(25)支柱
(26)脚杆
(27)キャスタ
【図１】
2005137744.tif 000003
【図２】
2005137744.tif 000004
【図３】
2005137744.tif 000005
【図４】
2005137744.tif 000006
【図５】
2005137744.tif 000007